【手続補正書】
【提出日】平成19年10月3日(2007.10.3)
【手続補正１】
【補正対象書類名】明細書
【補正対象項目名】特許請求の範囲
【補正方法】変更
【補正の内容】
【特許請求の範囲】
【請求項１】
無線通信手段により、所定の場所に写真画像を伝送可能なデジタルカメラであって、
所定の伝送許可条件が成立しているか否かを判断し、前記伝送許可条件が成立すると判断されたときに、写真画像の伝送を許可する伝送制御部を有し、
前記所定の伝送許可条件は、撮影が完了したこと、
を含むことを特徴とする画像自動伝送デジタルカメラ。
【請求項２】
前記伝送制御部は、電力を供給するためのバッテリの蓄電状態を取得する蓄電状態取得手段を有し、
前記伝送許可条件は、前記バッテリが所定の蓄電状態にあること、
を含むことを特徴とする請求項１に記載の画像自動伝送デジタルカメラ。
【請求項３】
前記伝送制御部は、前記蓄電状態取得手段によって取得したバッテリ残量情報に基づいて、異なる画質で写真画像を伝送できる旨をユーザに通知し、画質の選択を取得する画質選択取得手段を有し、
前記伝送許可条件は、選択された画質が必要とする伝送データ量が所定の範囲以内にあることであることを特徴とする請求項２に記載の画像自動伝送デジタルカメラ。
【請求項４】
前記伝送制御部は、時刻を認知するための時刻取得手段を有し、
前記伝送許可条件は、時刻が所定の時間帯であることを特徴とする請求項１に記載の画像自動伝送デジタルカメラ。
【請求項５】
前記伝送制御部は、前記時刻取得手段によって取得した時間に基づいて、写真画像の伝送に適切な時間帯の終了までの時間をユーザに通知することを特徴とする請求項４に記載の画像自動伝送デジタルカメラ。
【請求項６】
前記伝送制御部は、伝送する写真画像のデータ量を取得するデータ量取得手段を有し、
前記伝送許可条件は、前記データ量から算出された、前記写真画像の伝送に要する費用が所定範囲内にあることであることを特徴とする請求項１に記載の画像自動伝送デジタルカメラ。
【請求項７】
前記データ量取得手段は、ユーザによってデータ量の選択を受け付けることを特徴とする請求項６に記載の画像自動伝送デジタルカメラ。
【請求項８】
伝送に要する費用が、単位時間ごとに設定されている場合において、
前記伝送許可条件は、前記写真画像を伝送するときに、伝送時間内の最後の単位時間における、写真画像の伝送に使われない余り時間が所定値以下であることを特徴とする請求項１に記載の画像自動伝送デジタルカメラ。
【請求項９】
前記伝送制御部は、撮像後に前記写真画像ごとに伝送を制限する伝送制限手段を有することを特徴とする請求項１から請求項８のいずれかに記載の画像自動伝送デジタルカメラ。
【請求項１０】
前記伝送制御部は、前記写真画像を伝送する伝送先の電話番号を登録する番号登録手段を有し、
登録された伝送先を携帯電話に通知して、前記写真画像を伝送させることを特徴とする請求項１から請求項９のいずれかに記載の画像自動伝送デジタルカメラ。
【請求項１１】
前記写真画像を蓄え、前記伝送制御部に写真画像を供給するとともに、写真画像供給後に写真画像を消去する揮発性メモリと、
さらに、前記伝送制御部による写真画像伝送後も写真画像を保持する不揮発性メモリと、
を有することを特徴とする請求項１から請求項１０のいずれかに記載の画像自動伝送デジタルカメラ。
【請求項１２】
前記伝送許可条件は、未伝送の写真画像の枚数が所定の枚数に達することであり、
未伝送の写真画像をまとめて自動的に伝送することを特徴とする請求項１に記載の画像自動伝送デジタルカメラ。
【請求項１３】
前記伝送許可条件は、撮影の終了後、所定時間が経過することであることを特徴とする請求項１に記載の画像自動伝送デジタルカメラ。
【請求項１４】
前記伝送許可条件は、前記デジタルカメラの電源をオフにする操作がなされることであり、
未伝送の写真画像がある場合に、未伝送の写真画像をまとめて自動的に伝送してから電源をオフにすることを特徴とする請求項１に記載の画像自動伝送デジタルカメラ。
【請求項１５】
前記伝送許可条件は、前記デジタルカメラの電源がオンになることであり、
未伝送の写真画像がある場合に、未伝送の写真画像をまとめて自動的に伝送することを特徴とする請求項１に記載の画像自動伝送デジタルカメラ。
【請求項１６】
一時的に前記写真画像を順次保存するメモリを有し、
前記伝送許可条件は、前記メモリに保存された前記写真画像の容量、または枚数が一定量以上になることであり、
最も先に保存された前記写真画像を自動的に伝送することを特徴とする請求項１に記載の画像自動伝送デジタルカメラ。
【請求項１７】
前記無線通信手段が通信可能なとき、前記写真画像を自動的に伝送する請求項１から請求項１６のいずれかに記載の画像自動伝送デジタルカメラ。
【請求項１８】
前記写真画像を伝送中に撮影動作が開始されたときに、伝送を中断し、撮影操作が停止した後に中断した伝送を再開することを特徴とする請求項１から請求項１７に記載の画像自動伝送デジタルカメラ。
【請求項１９】
前記伝送許可条件を複数有し、伝送許可条件を選択可能であることを特徴とする請求項１から請求項１８に記載の画像自動伝送デジタルカメラ。
【請求項２０】
無線通信手段により、所定の場所に写真画像を伝送する伝送制御方法であって、
所定の伝送許可条件が成立したか否かを判定する伝送許可条件判定ステップと、
前記所定の伝送許可条件が成立したと判定された場合に、写真画像を伝送する伝送処理ステップを有し、
前記所定の伝送許可条件判定ステップは、撮影が完了したか否かを判定することを特徴とする画像自動伝送方法。
【請求項２１】
前記伝送許可条件判定ステップは、電力を供給するためのバッテリの蓄電状態を取得する蓄電状態取得ステップを有し、
前記伝送許可条件判定ステップは、前記バッテリが所定の蓄電状態にあるか否かを判定することを特徴とする請求項２０に記載の画像自動伝送方法。
【請求項２２】
前記伝送許可条件判定ステップは、前記蓄電状態取得ステップによって取得したバッテリ残量情報に基づいて、異なる画質で写真画像を伝送できる旨をユーザに通知し、画質の選択を取得する画質選択取得ステップを有し、
前記伝送許可条件判定ステップは、選択された画質が必要とする伝送データ量が所定の範囲以内にあるか否かを判定することを特徴とする請求項２１に記載の画像自動伝送方法。
【請求項２３】
前記伝送許可条件判定ステップは、時刻を認知するための時刻取得ステップを有し、
前記伝送許可条件判定ステップは、時刻が所定の時間帯であるか否かを判定することを特徴とする請求項２０に記載の画像自動伝送方法。
【請求項２４】
前記伝送許可条件判定ステップは、前記時刻取得ステップによって取得した時間に基づいて、写真画像の伝送に適切な時間帯の終了までの時間をユーザに通知することを特徴とする請求項２３に記載の画像自動伝送方法。
【請求項２５】
前記伝送許可条件判定ステップは、伝送する写真画像のデータ量を取得するデータ量取得ステップを有し、
前記伝送許可条件判定ステップは、前記データ量から算出された、前記写真画像の伝送に要する費用が所定範囲内にあるか否かを判定することを特徴とする請求項２０に記載の画像自動伝送方法。
【請求項２６】
前記データ量取得ステップは、ユーザによってデータ量の選択を受け付けることを特徴とする請求項２５に記載の画像自動伝送方法。
【請求項２７】
伝送に要する費用が、単位時間ごとに設定されている場合において、
前記伝送許可条件判定ステップは、伝送時間内の最後の単位時間における、写真画像の伝送に使われない余り時間が所定値以下であるときに、前記写真画像を伝送することを特徴とする請求項２０に記載の画像自動伝送方法。
【請求項２８】
前記伝送許可条件判定ステップは、撮像後に前記写真画像ごとに伝送を制限する伝送制限ステップを有することを特徴とする請求項２０から２７のいずれかに記載の画像自動伝送方法。
【請求項２９】
前記伝送制御方法は、前記写真画像を伝送する伝送先の電話番号を登録する番号登録ステップを有し、
登録された伝送先を携帯電話に通知して、前記写真画像を伝送させることを特徴とする請求項２０から請求項２８のいずれかに記載の画像自動伝送方法。
【請求項３０】
前記伝送許可条件判定ステップは、未伝送の写真画像の枚数が所定の枚数に達しているか否かを判定し、所定の枚数に達している場合に未伝送の写真画像をまとめて自動的に伝送することを特徴とする請求項２０に記載の画像自動伝送方法。
【請求項３１】
前記伝送許可条件判定ステップは、撮影の終了後、所定時間が経過したか否かを判定することを特徴とする請求項２０に記載の画像自動伝送方法。
【請求項３２】
前記伝送許可条件判定ステップは、デジタルカメラの電源をオフにする操作がなされたか否かを判定し、前記操作がなされていると判定された場合に、未伝送の写真画像があるときは、未伝送の写真画像をまとめて自動的に伝送してから電源をオフにすることを特徴とする請求項２０に記載の画像自動伝送方法。
【請求項３３】
前記伝送許可条件判定ステップは、デジタルカメラの電源がオンになっているか否かを判定し、前記電源がオンになっていると判定された場合に、未伝送の写真画像があるときは、未伝送の写真画像をまとめて自動的に伝送することを特徴とする請求項２０に記載の画像自動伝送方法。
【請求項３４】
前記伝送制御方法は、一時的に前記写真画像を順次保存するステップを有し、
前記伝送許可条件判定ステップは、前記保存された前記写真画像の容量、または画像のデータ量が所定量以上になっているか否かを判定し、
保存された順に前記写真画像を自動的に伝送することを特徴とする請求項２０に記載の画像自動伝送方法。
【請求項３５】
前記伝送制御方法は、前記写真画像を伝送したあと、メインメモリから消去するステップをさらに有することを特徴とする請求項３４に記載の画像自動伝送方法。
【請求項３６】
前記伝送処理ステップは、前記無線通信手段が通信可能か否かの情報を取得する通信状態取得ステップを有し、
前記無線通信手段が通信可能なとき、前記写真画像を自動的に伝送することを特徴とする請求項２０から請求項３５のいずれかに記載の画像自動伝送方法。
【請求項３７】
前記伝送処理ステップは、前記写真画像を伝送中に撮影動作が開始されたときに、伝送を中断し、撮影操作が停止した後に中断した伝送を再開する操作状態取得ステップを有することを特徴とする請求項２０から請求項３６に記載の画像自動伝送方法。
【請求項３８】
前記伝送許可条件判定ステップは、複数の条件に基づいて判定するステップを有することを特徴とする請求項２０から請求項３７に記載の画像自動伝送方法。
【請求項３９】
無線通信手段により、所定の場所に写真画像を伝送可能なデジタルカメラであって、
所定の伝送許可条件が成立しているか否かを判断し、前記伝送許可条件が成立すると判断されたときに、写真画像の伝送を許可する伝送制御部を有し、
前記伝送許可条件は、未伝送の写真画像の枚数が所定の枚数に達することであり、
未伝送の写真画像をまとめて自動的に伝送することを特徴とする画像自動伝送デジタルカメラ。
【請求項４０】
無線通信手段により、所定の場所に写真画像を伝送する伝送制御方法であって、
所定の伝送許可条件が成立したか否かを判定する伝送許可条件判定ステップと、
前記所定の伝送許可条件が成立したと判定された場合に、写真画像を伝送する伝送処理ステップを有し、
前記伝送許可条件判定ステップは、未伝送の写真画像の枚数が所定の枚数に達しているか否かを判定し、所定の枚数に達している場合に未伝送の写真画像をまとめて自動的に伝送することを特徴とする画像自動伝送方法。